(57)【特許請求の範囲】
【請求項１】
透光性の表示部と、照明部を備え、前記表示部の後方から前方へ前記照明部からの光が透過され前記表示部に表示が表されるようになされた内照式標識であって、
前記表示部は透光性の下部層と、該下部層の前方側に設けられた透光性の上部層とを備え、
該上部層には後方側を視認可能な切り欠き状の窓部が表示の形状に形成されて、前記表示部の表示が表されるようになされると共に、
前記窓部の内側において前記下部層を貫通する切抜部が形成され、
該切抜部は、前記窓部の縁に沿って縁取り状に形成されていることを特徴とする内照式標識。
【請求項２】
前記下部層は、光の再帰反射性を有する再帰反射シートであることを特徴とする請求項１に記載の内照式標識。
【請求項３】
前記切抜部は、前記窓部の縁に沿って全周に亘り、形成されていることを特徴とする請求項１又は２に記載の内照式標識。
【発明の詳細な説明】
【技術分野】
【０００１】
本発明は、交通事故等の防止を図るために道路等に設置され道路標識等として用いられる内照式標識に関するものである。
【背景技術】
【０００２】
道路等に設置される道路標識や交通案内標識などにおいては、その表示内容を昼間のみならず夜間においても良好に視認できるように、表示内容を光で表す発光表示が可能なものが多く用いられており、種々の構成が提案されている。
【０００３】
例えば特許文献１には、標識パターンの輪郭等に適当な間隔で複数の小孔をあけた標識パネルと、遮光筒の表面に複数の小孔をあけ、内部に蛍光灯を設けた照明装置と、一端を標識パネルの各小孔に取り付け、他端を照明装置の遮光筒表面の各小孔に取り付けた複数の光ファイバと、を備えることを特徴とする自発光式標識、が本出願人によって提案されている。
【先行技術文献】
【特許文献】
【０００４】
【特許文献１】特開平０８−１８９０１５号公報
【発明の概要】
【発明が解決しようとする課題】
【０００５】
特許文献１に記載の自発光式標識は、光ファイバから発せられる光が標識パターンの輪郭を形作ることでその内容を良好に視認できるようになされているが、構造が複雑であるという問題があった。
【０００６】
本発明は、上記のような問題点を解決し、簡易な構造で表示を良好に視認できる内照式標識を提供するものである。
【課題を解決するための手段】
【０００７】
上記目的を達成するため、本発明は以下のような構成としている。
すなわち本発明に係る内照式標識は、透光性の表示部と、照明部を備え、前記表示部の後方から前方へ前記照明部からの光が透過され前記表示部に表示が表されるようになされた内照式標識であって、
前記表示部は透光性の下部層と、該下部層の前方側に設けられた透光性の上部層とを備え、
該上部層には後方側を視認可能な切り欠き状の窓部が表示の形状に形成されて、前記表示部の表示が表されるようになされると共に、
前記窓部の内側において前記下部層を貫通する切抜部が形成され、
該切抜部は、前記窓部の縁に沿って縁取り状に形成されていることを特徴としている。
【０００８】
本発明に係る内照式標識によれば、透光性の下部層と、この下部層の前方側に設けられた透光性の上部層とを備え、この上部層に後方側を視認出来る切り欠き状の窓部を表示の形状に形成させて前記表示部の表示を表すので、表示部の後方から前方へ透過する光が、前記窓部が形成された部分でより明るく視認されるようになされ、表される前記表示部の表示が観者に認識されやすく表される。
そして、前記窓部の内側において前記下部層を貫通する切抜部を形成させるので、表示部の後方から前方へ透過する光が強く視認される窓部の中で、更に切抜部を通過する光が強く視認され、表示部の表示が観者により認識されやすく表される。
【０００９】
また、前記下部層を、光の再帰反射性を有する再帰反射シートとすれば、前方から照射される車両のヘッドライト光などを再帰反射させ、車両の運転手に表示部の表示を認識させることができる。
そして、前記下部層に形成された切抜部において、照射される光が再帰反射しないので、表示を表す窓部の内側で再帰反射光に強弱が生じ、表示部の表示が運転手に認識されやすく表されるので好ましい。
【００１０】
また、前記切抜部を、前記窓部の縁に沿って全周に亘り縁取り形状に形成させれば、表示内容を表す窓部において、縁部分とそれ以外の部分とで光の明るさに強弱が生じ、表示部の表示内容が運転手により認識されやすくなされるので好ましい。
【発明の効果】
【００１１】
本発明に係る内照式標識によれば、表示を良好に視認出来る表示部を簡易な構造で形成できる。
【図面の簡単な説明】
【００１２】
【図１】本発明に係る内照式標識の実施の一形態を示す、（イ）は平面図であり、（ロ）は正面図であり、（ハ）は側面図である。
【図２】図１のＡ−Ａ断面図である。
【図３】図１の文字表示の部分を示す拡大図である。
【図４】図３のＡ−Ａ断面図である。
【図５】本発明に係る内照式標識の実施の他の一形態を示す、（イ）は正面図であり、（ロ）は側面図である
【図６】図５の枠線表示と図形表示の部分を示す拡大図である。
【発明を実施するための形態】
【００１３】
本発明の実施の形態を図面に基づき具体的に説明する。
図面において、１は内照式標識である。
本実施形態の内照式標識１は、逆三角形状に形成された表示部３と、その周囲を囲う枠部２とを備えている。
【００１４】
本実施形態の内照式標識１は、一時停止場所を示す規制標識であり、表示部３は赤色の背景３ｃに、逆三角形状の縁に沿って表される白色の枠線表示３ａと、中央付近に表される白色の「止まれ」の文字表示３ｂが形成されている。
【００１５】
枠部２は、表示部３の３個の辺に沿ってそれぞれ配置された棒形状の３本の枠材２ａと、表示部３の３個の隅部分にそれぞれ配置された円弧形状の連結部材２ｂとを備え、各枠材２ａの端をそれぞれ連結部材２ｂで固定して連結させて、逆三角形のリング状の枠部２を形成させている。
尚、本実施形態の枠材２ａはアルミニウム押出形材により形成し、連結部材２ｂはアルミダイカストで形成させているが、これに限るものではなく、他の金属や樹脂などを材料に用いて形成させてもよい。
【００１６】
内照式標識１の上部には、三角柱形状に形成された発電部５が後方へ突出するように取り付けられて設けられている。
上方へ向けられた発電部５の上面には太陽電池５１が設けられ、この太陽電池５１で生起された電力を発電部５内に内装された蓄電部５２へ蓄えるようになされている。そして蓄電部５２の電力は、後述する照明部４へ供給されて、これを発光させるように設けられている。
【００１７】
図２は図１のＡ−Ａ断面図である。
本実施形態の枠材２ａは、内照式標識１の端に配置される支持部２１と、この支持部２１から内照式標識１の内側へ突出する板形状の抱持部２２を備えている。この抱持部２２は、支持部２１の全長に亘り、その前側及び後側からそれぞれ１個づつ合計２個突出して形成されており、この支持部２１と各抱持部２２により枠材２ａは断面コの字形状に形成されている。
【００１８】
各枠材２ａは、突出する各抱持部２２の間に前記表示部３の縁を挿入させて、表示部３を固定させている。
具体的には、板形状に形成された表示部３の後方には、板形状の導光板６と背面板７とが配設されており、各抱持部２２の間に表示部３、導光板６、背面板７の三つの辺の縁をそれぞれ挿入させた各枠材２ａが、それぞれの端を各連結部材２ｂで連結されてリング状の枠部２に形成されることで、表示部３、導光板６、背面板７がそれぞれ枠部２から外れないように設けている。
【００１９】
尚、表示部３と導光板６との間、及び導光板６と背面板７との間には、それぞれ隙間が形成されるようにパッキンＳが取り付けられており、このパッキンＳは各枠材２ａの各抱持部２２間に挿入されるように、表示部３、導光板６、背面板７のそれぞれの縁付近に取り付けられている。
前記パッキンＳが表示部３と導光板６との間、及び導光板６と背面板７との間に取り付けられることで、これらの隙間の内側への水などの浸入が抑制される。また、パッキンＳにより表示部３と導光板６との間、及び導光板６と背面板７との間に隙間が形成されることで、この隙間へ水が浸入した場合でも毛細管現象による隙間内の水の滞留が抑制され、水が下方へ流れ落ちて、排水しやすくなされる。
【００２０】
３本の枠材２ａの内、表示部３の上方に配置された枠材２ａには、各抱持部２２の間に収納されて照明部４が取り付けられている。
具体的には、本実施形態の照明部４は棒形状に形成され、前記枠材２ａの略全長に亘るように取り付けられており、表示部３、導光板６、背面板７の縁と、枠材２ａの支持部２１の内側面との間に配置されている。
【００２１】
照明部４は、下方に開口する断面コの字形状の棒状のホルダ４３を備え、このホルダ４３の長手方向に長い基板４２がホルダ４３の内側に収納されて取り付けられている。
そして、この基板４２の下面には、複数のＬＥＤ４１が長手方向に沿って等間隔に並設されている。各ＬＥＤ４１は下方へ向けて発光するように基板４２に取り付けられており、照明部４は各ＬＥＤ４１からの光がホルダ４３の開口から下方へ向けて発せられるように設けられている。
【００２２】
前記導光板６は、その上方の縁が前記各ＬＥＤ４１の真下に位置するように配置されており、各ＬＥＤ４１からの光が導光板６の縁からその内側へ入光するように設けられている。
本実施形態の導光板６は、無色透明な板体に形成され、その後面の全体に亘って多数の光拡散体６１がドット状に付着して設けられている。これは、導光板６の縁から入光した光が各光拡散体６１に反射されて、導光板６の前面側を面発光させるように構成されている。
また、導光板６の単位面積あたりの光拡散体６１の面積は、導光板６の上方より下方へ至るほど大きくなるように設けられている。
これにより、光源である照明部４からより遠ざかる導光板６の下方へ至る程、各光拡散体６１による反射の効果が大きくなり、導光板６の前面が全体的に均一な光の強さで面発光するようになされている。
【００２３】
また、本実施形態の導光板６は、後面にドット状の光拡散体６１を設けた構成を用いているが、これに限るものではなく、縁から入光させた光によって前面側を面発光させる導光板であれば好適に用いることができる。例えば、透光性を有する乳白色に形成された導光板などを用いてもよい。
【００２４】
背面板７は、金属板や樹脂板などを好適に用いることができ、本実施形態の背面板７はアルミニウム板で形成されている。また、本実施形態の背面板７は、前面側を全面に亘り白色に塗装しており、前面側に配置された導光板６からの光を効率的に導光板６側へ反射させるように設けている。
【００２５】
表示部３は、板状に形成された台板３１と、その前方に配置されたシート状の下部層３２と、更にその前方に配置されたシート状の上部層３３とを備えて設けられている。
台板３１、下部層３２、及び上部層３３はそれぞれ透光性を有し、表示部３は後方に配置されて面発光する導光板６からの光を全体的に透過させて、夜間における表示の視認性を向上させている。
【００２６】
図３は図１の文字表示３ｂの部分を示す拡大図であり、図４は図３のＡ−Ａ断面図である。
図３は表示部３の文字表示３ｂの「止」の部分を拡大したものである。
本実施形態の下部層３２は、無色透明な板状に形成された台板３１に貼着されて取り付けられており、上部層３３は、下部層３２に貼着されて取り付けられている。
【００２７】
また、本実施形態の下部層３２は、白色に形成されて表示部３の枠線表示３ａ、及び文字表示３ｂを表し、上部層３３は、赤色に形成されて表示部３の背景３ｃを表すように設けられている。
具体的には、上部層３３には後方側を視認可能な切り欠き状の窓部３６が形成されており、この窓部３６は枠線表示３ａ、及び文字表示３ｂの形状に形成されている。
表示部３を前方から目視した観者には、上部層３３が赤色の背景３ｃとして視認され、窓部３６から視認される下部層３２が白色の枠線表示３ａや、文字表示３ｂに視認される。
【００２８】
また、白色に形成された前記下部層３２や、赤色に形成された上部層３３は、面発光する導光板６からの光をそれぞれ全体的に透過可能に形成されているが、窓部３６の部分では導光板６からの光が上部層３３によって遮られないため、表示部３の中でより明るく視認される。
即ち、照明部４からの光によって内照される表示部３の、窓部３６の表す表示が明るく視認されて誘目性を高め、これが表す表示が観者に認識されやすくなされる。
【００２９】
本実施形態の下部層３２には、前面から後面に貫通する切抜部３７が形成されている。
具体的には、切抜部３７は、上部層３３に形成された窓部３６の内側に位置するように形成されており、詳細には、窓部３６の縁に沿って全周に亘り縁取り状に形成されている
切抜部３７の部分では導光板６からの光が下部層３２によって遮られないため、窓部３６の中でより明るく視認され、表示部３の中で最も明るく視認される。
即ち、照明部４からの光によって内照される表示部３の、窓部３６の表す表示の縁部分がより明るく視認されてアクセントとなり誘目性が高められ、これが表す表示が観者により認識されやすくなされる。
【００３０】
本実施形態の下部層３２は、後方から照射された光を前方へ透過させる透光性を有するシートであると共に、前方から照射された光を光源方向へ平行に反射させる再帰反射性を備えた再帰反射シートである。
下部層３２を再帰反射シートで形成させることで、夜間に走行する車両のヘッドライト等からの光が表示部３に照射されたとき、上部層３３を透過した光や窓部３６を通過した光が下部層３２に再帰反射され、この再帰反射光が前記車両の運転手に視認されて、表示部３の表す表示を認識させることができる。
【００３１】
また、前方から照射されて下部層３２に再帰反射される光は、窓部３６の部分では上部層３３によって遮られないため、表示部３の中でより明るく視認される。
即ち、前方から照射され再帰反射される光において、表示部３の窓部３６の表す表示が明るく視認されて誘目性を高め、これが表す表示が観者に認識されやすくなされる。
【００３２】
また、切抜部３７の部分は、前方から照射された光が下部層３２によって再帰反射されないため、窓部３６の中でより暗く視認される。
即ち、前方から照射され再帰反射される光において、表示部３の窓部３６の表す表示の縁部分がより暗く視認されてアクセントとなり誘目性が高められ、これが表す表示が観者により認識されやすくなされる。
【００３３】
本実施形態の上部層３３は、透光性を備えるシートで形成させているが、これに限るものではなく、窓部３６を形成可能な構成を適宜用いることができる。
例えば、下部層３２の表面に塗着させた半透明な塗料やインクの塗膜で形成させてもよく、下部層３２の表面に塗装させた不透明な塗料やインクのドットパターンで形成させてもよく、その他の構成に形成させてもよい。
【００３４】
また、本実施形態の内照式標識１は、表示部３の後方に導光板６を配置させ、縁から入光させた照明部４の光によって導光板６を面発光させて表示部３を内照させる、所謂エッジライト方式に形成させているが、これに限るものではなく、表示部３を内照可能な他の構成を適宜用いることができる。
例えば、表示部３の後方に照明部を配置させて光を照射させる、所謂バックライト方式に形成させてもよい。
【００３５】
図５は本発明に係る内照式標識の実施の他の一形態を示す、（イ）は正面図であり、（ロ）は側面図であり、図６は図５の枠線表示と図形表示の部分を示す拡大図である。
本実施形態の内照式標識１は、五角形に形成された横断歩道の存在を示す指示標識であり、発電部５を備えておらず、五角形に形成された表示部３と、その周囲を囲う枠部２とを備え、枠部２において上方に配置された２つの傾斜辺を構成する枠材２ａにそれぞれ照明部４が収納されて取り付けられている点が、図１〜４に示す内照式標識１と異なる主な事項である。
【００３６】
本実施形態の内照式標識１の表示部３は、青色の背景３ｃに、五角形の縁に沿って表される白色の枠線表示３ａと、この枠線表示３ａの内側に表される白色の歩行者の絵が描かれた図形表示３ｄが形成されている。
【００３７】
枠部２は、表示部３の５個の辺に沿ってそれぞれ配置された棒形状の５本の枠材２ａと、表示部３の５個の済み部分にそれぞれ配置された円弧形状の連結部材２ｂとを備え、それぞれが連結されて五角形のリング状の枠部２を形成させている。
各枠材２ａの断面形状は、図２に示す実施形態と同じであり、五角形の表示部３の上方の２つの傾斜辺を囲う２つの枠材２ａには、図２と同様の構成で、それぞれ照明部４が収納されて取り付けられている。
【００３８】
本実施形態の各枠部２には、図１〜４の実施形態と同様に、各抱持部２２の間に、表示部３、導光板６、背面板７のそれぞれの縁が挿入されて固定されている。そして、前記照明部４からの光を導光板６の縁からその内側へ入光させ、この光を表示部３に透過させるように設けられている。
【００３９】
本実施形態の表示部３は、白色に形成されて表示部３の枠線表示３ａ、及び図形表示３ｄを表すシート状の下部層３２と、青色に形成されて表示部３の背景３ｃを表すシート状の上部層３３を備え、それぞれ透光性を有する下部層３２と上部層３３とが、図４に示す構成と同様に、板状に形成された台板３１の前方に配置されて設けられている。
また、図４に示す構成と同様に、上部層３３には後方側を視認可能な切り欠き状の窓部３６が形成されている。この窓部３６は枠線表示３ａ、及び図形表示３ｄの形状に形成され、
表示部３を前方から目視した観者には、上部層３３が青色の背景３ｃとして視認され、窓部３６から視認される下部層３２が白色の枠線表示３ａや、図形表示３ｄに視認される。
そして、図１〜４の実施形態と同様に、照明部４からの光によって内照される表示部３の、窓部３６の表す表示が明るく視認されて誘目性を高め、これが表す表示が観者に認識されやすくなされる。
【００４０】
また、本実施形態の下部層３２には、図４に示す構成と同様に、窓部３６の縁に沿って全周に亘り縁取り状に形成されて、下部層３２の前面から後面に貫通する切抜部３７が形成されている。
そして、下部層３２に切抜部３７を設けることによって、図１〜４の実施形態と同様に、照明部４からの光によって内照される表示部３の、窓部３６の表す表示の縁部分がより明るく視認されてアクセントとなり誘目性が高められ、これが表す表示が観者により認識されやすくなされる。
【００４１】
また、下部層３２を、後方から照射された光を前方へ透過させる透光性を有するシートであると共に、前方から照射された光を光源方向へ平行に反射させる再帰反射性を備えた再帰反射シートで形成させることで、図１〜４の実施形態と同様に、夜間に走行する車両のヘッドライト等からの光が表示部３に照射されたとき、上部層３３を透過した光や窓部３６を通過した光が下部層３２に再帰反射され、この再帰反射光が前記車両の運転手に視認されて、表示部３の表す表示を認識させることができる。
また、図１〜４の実施形態と同様に、前方から照射され再帰反射される光において、表示部３の窓部３６の表す表示が明るく視認されて誘目性を高め、これが表す表示が観者に認識されやすくなされる。
また、図１〜４の実施形態と同様に、前方から照射され再帰反射される光において、表示部３の窓部３６の表す表示の縁部分がより暗く視認されてアクセントとなり誘目性が高められ、これが表す表示が観者により認識されやすくなされる。
【００４２】
また、図１〜４、及び図５，６に示す実施形態の内照式標識１は、表示部３を前面側のみに設けているが、前面側と後面側の両方に表示部３を設けても良い。
また、図１〜４、及び図５，６に示す実施形態の内照式標識１は、一時停止場所や横断歩道の存在を示す標識を表すように、表示部３の枠線表示３ａや、文字表示３ｂ、図形表示３ｄを設けられているが、これに限るものではなく、線、文字、数字、図形などを用いてあらゆる形態の表示をあらわすように表示部３を設けてよい。
【符号の説明】
【００４３】
１    内照式標識
２    枠部
２１  支持部
２２  抱持部
３    表示部
３ａ  枠線表示
３ｂ  文字表示
３ｃ  背景
３ｄ  図形表示
３１  台板
３２  下部層
３３  上部層
３６  窓部
３７  切抜部
４    照明部
４１  ＬＥＤ
４２  基板
４３  ホルダ
５    発電部
５１  太陽電池
５２  蓄電部
６    導光板
６１  光拡散体
７    背面板
【図１】
0005779049.tif 000002
【図２】
0005779049.tif 000003
【図３】
0005779049.tif 000004
【図４】
0005779049.tif 000005
【図５】
0005779049.tif 000006
【図６】
0005779049.tif 000007